(57)【特許請求の範囲】
【請求項１】
排水栓本体から垂設した排水栓スライド軸に着脱自在に取り付けられる排水栓用ヘアキャッチャーであって、排水栓スライド軸を挿通する軸挿通筒部と、軸方向に所定間隔をあけて軸挿通筒部の側方に突出した複数の目皿部とを有し、一の目皿部を軸挿通筒部に一体に形成した一体目皿部にすると共に、この一体目皿部の上方に位置する他の目皿部を軸挿通筒部から取り外し自在にした着脱目皿部として成ることを特徴とする排水栓用ヘアキャッチャー。
【請求項２】
着脱目皿部が、軸挿通筒部への着脱部となる内リング部と、内リング部の周囲に設けた凹形状のゴミ溜め部とを備えたことを特徴とする請求項１記載の排水栓用ヘアキャッチャー。
【発明の詳細な説明】
【技術分野】
【０００１】
本発明は、排水栓用ヘアキャッチャーに関するものである。
【背景技術】
【０００２】
従来から、図８のように、排水栓本体３から垂設した排水栓スライド軸４に着脱自在に取り付けられる排水栓用ヘアキャッチャー１が知られている（たとえば特許文献１参照）。この排水栓用ヘアキャッチャー１は、図８（ａ）のように排水栓スライド軸４を挿通する軸挿通筒部５の上下部に平板状の目皿部６がそれぞれ設けられており、図８（ｂ）のようにその全体を左右に２分割して一対のヘアキャッチャー半体１´，１´に分解可能にしてある。
【０００３】
したがって、排水栓用ヘアキャッチャー１の掃除をする際には、排水栓スライド軸４から排水栓用ヘアキャッチャー１を取り外すと共に左右に２分して、分解状態にある一対のヘアキャッチャー半体１´，１´に対してそれぞれブラシＡなどを用いてゴミ除去や水垢除去等の清掃作業を行うのであり、単に排水栓スライド軸４から取り外した一体物の排水栓用ヘアキャッチャー１に比べるとその清掃性は良くなっている。
【０００４】
しかしながら、ヘアキャッチャー半体１´は軸挿通筒部５の半体５´の上下部にそれぞれ目皿部６の半体（以下、半目皿部６´という）が一体に突設されており、半目皿部６´同士の各対向面を掃除しようとした場合には、図８（ｂ）のように相手側の半目皿部６´が該対向面に臨む清掃スペースＳを小さく且つ閉塞的にし、つまりブラシＡの動作を妨げてしまうこともあり、その清掃性は良好とは言い難いものであった。
【特許文献１】特開２００６−２９９６３４号公報
【発明の開示】
【発明が解決しようとする課題】
【０００５】
本発明は上記の点に鑑みてなされたものであり、その目的とするところは、良好な清掃性を備え得る排水栓用ヘアキャッチャーを提供することを課題とするものである。
【課題を解決するための手段】
【０００６】
上記課題を解決するために請求項１に係る排水栓用ヘアキャッチャーにあっては、排水栓本体３から垂設した排水栓スライド軸４に着脱自在に取り付けられる排水栓用ヘアキャッチャー１であって、排水栓スライド軸４を挿通する軸挿通筒部５と、軸方向に所定間隔をあけて軸挿通筒部５の側方に突出した複数の目皿部６とを有し、一の目皿部６を軸挿通筒部５に一体に形成した一体目皿部７にすると共に、この一体目皿部７の上方に位置する他の目皿部６を軸挿通筒部５から取り外し自在にした着脱目皿部８として成ることを特徴とする。
【０００７】
これによると、掃除をする際には排水栓スライド軸４から排水栓用ヘアキャッチャー１を取外すのであるが、このとき更に軸挿通筒部５から着脱目皿部８を取外すことで、軸挿通筒部５から取外した着脱目皿部８は勿論のこと、軸挿通筒部５に残る一体目皿部７においても、周囲に大きな開放的な清掃スペースＳを確保でき、良好な清掃性を備えることができる。
【０００８】
また、請求項２に係る排水栓用ヘアキャッチャーにあっては、請求項１において、着脱目皿部８が、軸挿通筒部５への着脱部となる内リング部９と、内リング部９の周囲に設けた凹形状のゴミ溜め部１０とを備えたことを特徴とする。
【０００９】
これによると、ゴミ溜め容積を高めるために凹形状のゴミ溜め部１０を備えると、軸挿通筒部５の外面とゴミ溜め部１０の下面との間に掃除の行いにくい狭小隙間ｓができるのであるが、着脱目皿部８に上記ゴミ溜め部１０を設けたので、軸挿通筒部５から着脱目皿部８を取り外すことで、上記狭小隙間ｓを形成していた軸挿通筒部５の外面や、ゴミ溜め部１０の下面の周囲には、それぞれ大きな開放的な清掃スペースＳを確保できるのであり、良好な清掃性を備えることができる。
【発明の効果】
【００１０】
本発明にあっては、良好な清掃性を確保できる、という利点を有する。
【発明を実施するための最良の形態】
【００１１】
以下、本発明を添付図面に示す実施形態に基いて説明する。
【００１２】
図２のように洗面ボウル２０の底壁には排水開口部２０ａが形成され、この排水開口部２０ａに排水管２１が装着される。排水管２１の途中には側開口部２２が設けられるが、この側開口部２２には、洗面ボウル２０の側壁上部に形成したオーバーフロー開口部２０ｂに一端部２３ａを接続したオーバーフロー管２３の他端部２３ｂが接続される。
【００１３】
排水管２１内には排水開口部２０ａを塞ぐための排水栓２が配置される。排水栓２は、排水開口部２０ａを閉塞する円盤蓋状の排水栓本体３と、排水栓本体３から垂設した排水栓スライド軸４とを有している。排水栓スライド軸４の下端部の周面には段落ち部１５が凹設され、段落ち部１５には内外に突没自在なストッパリング１６が回動自在に設けられている。この排水栓２は、排水栓スライド軸４の下端が洗面ボウル２０やキャビネットに設けた操作部の操作によってレリーズ等を介して昇降動作されることで、排水栓本体３が排水開口部２０ａより上方に位置して排水開口部２０ａを開放状態にしたり、排水栓本体３が排水開口部２０ａに位置して排水開口部２０ａを閉塞したりできる。
【００１４】
排水栓２には、洗面ボウル２０の排水に含まれる毛髪等のゴミを捕捉する排水栓用ヘアキャッチャー１が装着される。排水栓用ヘアキャッチャー１は、排水栓スライド軸４を挿通する軸挿通筒部５と、軸方向に所定間隔をあけて軸挿通筒部５の側方に突出した上部と下部の２つの目皿部６（上部目皿部６ａ、下部目皿部６ｂ）とを有している。なお、各目皿部６は、排水管２１の孔径と略同様の外径を備え、排水管２１を流下する排水に含まれるゴミを漏れなく捕捉可能にしている。ここで、下部目皿部６ｂは軸挿通筒部５に一体に形成した一体目皿部７となっており、上部目皿部６ａは排水栓スライド軸４の上端に取外し自在にされる着脱目皿部８となっている。
【００１５】
この排水栓用ヘアキャッチャー１は、排水管２１の内周面に設けた係止突起２１ａに下部目皿部６ｂを載せるように係止させることで、排水管２１内の側開口部２２よりも下方（下流側）に下部目皿部６ｂが位置すると共に、排水管２１内の側開口部２２よりも上方（上流側）に上部目皿部６ａが位置するように排水管２１内に配置される。すなわち、上部目皿部６ａでは排水開口部２０ａから流入する排水に含まれるゴミを捕捉し、下部目皿部６ｂでは側開口部２２から流入する排水に含まれるゴミを主に捕捉するようにしている。
【００１６】
洗面ボウル２０を通常に使用した場合、洗面ボウル２０から排水管２１内に流入する排水はオーバーフロー開口部２０ｂを経るものに比べて排水開口部２０ａからの流入頻度が高く、また、排水開口部２０ａからの排水にはオーバーフロー開口部２０ｂを経るものに比べてゴミの含有頻度も高いものであり、すなわち上部目皿部６ａは下部目皿部６ｂに比べてゴミが多く捕捉されるから大きいゴミ溜め容積を備えることが好ましい。
【００１７】
ここで、本例の上部目皿部６ａは、図３のように、軸挿通筒部５に取り付けて排水栓スライド軸４を内部に挿通させる内リング部９と、内リング部９の周囲に設けた凹形状のゴミ溜め部１０とを備えて形成されている。ゴミ溜め部１０は、内リング部９から突出した複数の捕集リブ１１が下方向へ略円錐形状に拡がる下り傾斜部１０ａと、下り傾斜部１０ａの先端部から連続的に上方向に延設される上り傾斜部１０ｂとからなる縦断面Ｖ字状に形成されている。詳しくは、本例の捕集リブ１１は内リング部９から１ｍｍ程度側方に突出した水平突出部１０ｄを経て下り傾斜部１０ａが延出されている。また、各捕集リブ１１の下り傾斜部１０ａと上り傾斜部１０ｂとが連結する底部１０ｃを繋げるように底リング部１２が設けられ、各捕集リブ１１の上り傾斜部１０ｂの上端を繋げるように外リング部１３が設けられている。そして、各捕集リブ１１と各リング部９，１２，１３との間が排水を流下させる通水孔１４となっている。
【００１８】
このゴミ溜め部１０は、下り傾斜部１０ａと上り傾斜部１０ｂとの囲繞スペースがゴミ溜めスペースとされて、大きなゴミ溜め容積が確保されている。なお、ゴミ溜め部１０で捕捉したゴミはＶ字状の底部１０ｃに纏まって溜まるので、清掃時のゴミの除去が容易になるのであり、また、ゴミ溜め部１０で捕捉したゴミはＶ字状の底部１０ｃから溜まっていくので、下り傾斜部１０ａと上り傾斜部１０ｂとの上部の通水孔１４ａは長期に亙ってゴミで塞がることがなく、長期に亙る排水性能の確保やゴミの除去頻度の低減化も図られている。
【００１９】
ここで、本例の着脱目皿部８となる上部目皿部６ａは、排水栓用ヘアキャッチャー１の軸挿通筒部５の上端に着脱自在に取り付けられる。軸挿通筒部５の上端面には上方に突出するリング状の係合凸条１７が形成されており、軸挿通筒部５と同径に形成された内リング部９の下面部には上記係合凸条１７が嵌る係合凹部１８が形成されている。本例では係合凹部１８の内周面には突条１８ａが形成され、係合凸条１７の外周面には溝条１７ａが形成され、係合凸条１７を係合凹部１８に嵌合させたときに溝条１７ａが突条１８ａに係合されて、着脱目皿部８と軸挿通筒部５との取付強度の確保が図られている。
【００２０】
また、この排水栓用ヘアキャッチャー１は、排水栓２を排水管２１から上方へ引き抜き、図１（ａ）のように、ストッパリング１６を上方へ回動させて段落ち部１５内に収め、排水栓スライド軸４に対してその下方に向けて軸挿通筒部５をスライドさせることで、排水栓２から取り外し可能にされている。なお、ストッパリング１６は、通常状態では図２のように、その下面が段落ち部１５の上方に臨む下段面１５ａに載置されてその先端が軸挿通筒部５の側方に突出された状態になっており、軸挿通筒部５の下面がストッパリング１６の先端の上面に当接することで、排水栓２から排水栓用ヘアキャッチャー１が抜け落ちないようになっている。
【００２１】
上記構成の排水栓用ヘアキャッチャー１を掃除するには、上記のようにして排水栓スライド軸４から排水栓用ヘアキャッチャー１を取外すのであるが、このとき更に図１（ｂ）のように軸挿通筒部５から着脱目皿部８を取外すことで、軸挿通筒部５から取外した着脱目皿部８は勿論のこと、軸挿通筒部５に残る一体目皿部７においても、その周囲に大きな開放的な清掃スペースＳを確保できるのであり、良好な清掃性を備えることができたのである。
【００２２】
また、目皿部６にゴミ溜め容積を高めるために凹形状のゴミ溜め部１０を備えると、図１（ａ）のように軸挿通筒部５の外面とゴミ溜め部１０の下り傾斜部１０ａの下面との間には掃除の行いにくい狭小隙間ｓができるのであるが、上記ゴミ溜め部１０を設けた目皿部６（上部目皿部６ａ）を着脱目皿部８としたので、軸挿通筒部５から着脱目皿部８を取り外すことで、図１（ｂ）のように、上記狭小隙間ｓを形成していた軸挿通筒部５の外面や、ゴミ溜め部１０の下り傾斜部１０ａの下面の周囲には、それぞれ大きな開放的な清掃スペースＳを確保できるのであり、つまり軸挿通筒部５に邪魔されずにゴミ溜め部１０を掃除することができ、良好な清掃性を備えることができたのである。
【００２３】
なお、本例の上部目皿部６ａの内リング部９は、係合凸条１７の係合凹溝１８への嵌合距離を大きく採るために、捕集リブ１１の延出部分よりも下方に至るような筒形状に形成されているが、捕集リブ１１には水平突出部１０ｄが形成されているので、ゴミ溜め部１０の下り傾斜部１０ａの下面に臨む狭小隙間ｓは、縦断面逆Ｖ字状の空間にはならず、比較的ブラシＡが届き易くて掃除がし易い縦断面台形状の空間にできて、この点でも良好な清掃性の確保が図られている。
【００２４】
また、本例の排水栓用ヘアキャッチャー１は、ＰＯＭ（ポリオキシメチレン(ポリアセタール樹脂)）で製造されて耐磨耗性処理が施されており、キズがつきにくく、耐久劣化後の良好な水垢除去性能も確保されている。
【００２５】
また、本例の排水栓用ヘアキャッチャー１における一体目皿部７となる下部目皿部６ｂは、図４のように放射状の捕集リブ２４とリング２５とで間に通水孔２６を設けた略水平な円盤状に形成されて軸挿通筒部５の下部から側方に延出するようにして一体形成されているが、軸挿通筒部５は下部目皿部６ｂの延出部分よりも充分に下方に延伸するようにされ、これによりヘアキャッチャー本体１ａ（一体目皿部７と軸挿通筒部５との一体物）を掴む掴み部１９を形成させている。この掴み部１９は、各目皿部６を経たゴミ捕捉後の排水が流れる箇所にあり、すなわちヘアキャッチャー本体１のゴミの付着の少ない箇所に設けられたものであり、清掃前にヘアキャッチャー本体１ａを掴む際の不快感の緩和が図られている。
【００２６】
また、図５乃至図７には本発明の実施の形態の他例を示す。先例と同様部位には同符号を付して説明を省くものとする。本例では先例と比べて着脱目皿部８となる上部目皿部６ａの形状が異なっている。本例の上部目皿部６ａの捕集リブ１１には水平突出部１０ｄが無く、内リング部９の周面から下り傾斜部１０ａが直接延出されている。捕集リブ１１に水平突出部１０ｄが無いので、内リング部９が下り傾斜部１０ａの下面に対向するように形成されるとブラシＡが届きにくくて掃除のしにくい縦断面逆Ｖ字状の狭小隙間ｓができるのであるが、本例では下り傾斜部１０ａは内リング部９の下端から延出するようにされ、つまり内リング部９が下り傾斜部１０ａの下面に対向しないように形成され、この点で良好な清掃性の確保が図られている。
【００２７】
また、本例の排水栓用ヘアキャッチャー１では、一体目皿部７となる下部目皿部６ｂは放射状の捕集リブ２４とリング２５とで間に通水孔２６を設けた略水平な円盤状に形成され、軸挿通筒部５の下端部に一体形成されているが、先例のように軸挿通筒部５を下部目皿部６ｂの延出部分よりも充分に下方に延伸するようにしてヘアキャッチャー本体１ａを掴む掴み部１９を形成してもよいのは言うまでもない。
【００２８】
また、実施形態の排水栓用ヘアキャッチャー１では上部目皿部６ａ及び下部目皿部６ｂの２つの目皿部６を備えているが、複数の目皿部６を備えてもよい。この場合、一の目皿部６のみを一体目皿部７とし、他の目皿部６全てを着脱目皿部８とすれば、良好な清掃性を備えるという同様の作用効果を奏することができる。
【図面の簡単な説明】
【００２９】
【図１】本発明の実施の形態の他例であり、（ａ）は排水栓の切欠側面図であり、（ｂ）は排水栓用ヘアキャッチャーの分解側断面図である。
【図２】同上の排水栓の設置状態を示す切欠側面図である。
【図３】同上の上部目皿部であり、（ａ）は上面図であり、（ｂ）は側断面図である。
【図４】同上のヘアキャッチャー本体であり、（ａ）は側断面図であり、（ｂ）は下面図である。
【図５】本発明の実施の形態の他例であり、（ａ）は排水栓の切欠側面図であり、（ｂ）は排水栓用ヘアキャッチャーの分解側断面図である。
【図６】同上の排水栓の設置状態を示す切欠側面図である。
【図７】同上の上部目皿部であり、（ａ）は上面図であり、（ｂ）は側断面図である。
【図８】従来技術の例であり、（ａ）は排水栓の側面図であり、（ｂ）は排水栓用ヘアキャッチャーを分解した状態の側面図である。
【符号の説明】
【００３０】
１  排水栓用ヘアキャッチャー
２  排水栓
３  排水栓本体
４  排水栓スライド軸
５  軸挿通筒部
６  目皿部
７  一体目皿部
８  着脱目皿部
９  内リング部
１０  ゴミ溜め部
ｓ  狭小隙間
Ｓ  清掃スペース
【図１】
0004925325.tif 000002
【図２】
0004925325.tif 000003
【図３】
0004925325.tif 000004
【図４】
0004925325.tif 000005
【図５】
0004925325.tif 000006
【図６】
0004925325.tif 000007
【図７】
0004925325.tif 000008
【図８】
0004925325.tif 000009